(57)【要約】      （修正有）【課題】ズレや外れを防止できると共に、装着の際の不快感を軽減できる男性用尿吸収器具の提供。【解決手段】非透水性フィルムと透水性フィルムとの間に吸収体が配設された吸収部材１１を用いて形成される袋状体１と、上記袋状体１の開口部６に形成される収容口部２より成る男性用尿吸収器具であって、上記収容口部２が、袋状体１の開口部６に設けられるゴム４と、ゴム４を覆うゴム部分保護部材５によって構成されていると共に、男性外性器の根元部分を保持することができる通常の状態の開口径Ｌと、男性外性器のペニスと睾丸の双方を袋状体１内に受け入れることができる開放した状態の開口径との間で伸縮自在に構成されていることを特徴としている。【選択図】  図１
2004159724.tif 000002
【特許請求の範囲】
【請求項１】
男性外性器を収容すると共に、排泄された尿を吸収保持する男性用尿吸収器具であって、
上記男性用尿吸収器具は、非透水性フィルム１３と透水性フィルム１４との間に吸収体１２が配設された吸収部材１１を用いて形成される袋状体１と、上記袋状体１の開口部６に形成される収容口部２より成り、上記収容口部２は、上記袋状体１の開口部６に配設されるゴム４と、上記ゴム４を覆うゴム部分保護部材５によって構成されていると共に、男性外性器の根元部分２３を保持することができる通常の状態の開口径Ｌと、男性外性器のペニス２１と睾丸２２の双方を袋状体１内に受け入れることができる開放した状態の開口径Ｍとの間で伸縮自在に構成されていることを特徴とする男性用尿吸収器具。
【請求項２】
上記袋状体１は、平板状の吸収部材１１を二つ折りにすると共に、両側部を互いにシールして袋状に成されたものであり、さらに、上記袋状に成された吸収部材１１の内側と外側を反転させ、袋状に成された吸収部材１１の両側部のシール部３が、袋状体１の内側に位置するように成されていることを特徴とする請求項１記載の男性用尿吸収器具。
【発明の詳細な説明】
【０００１】
【発明の属する技術分野】
本発明は、男性用尿吸収器具に係り、さらに詳しくは、ズレや外れを防止できると共に、装着の際の不快感を軽減できる男性用尿吸収器具に関する。
【０００２】
【従来の技術】
周知の通り、身体が不自由な高齢者や入院患者、寝たきりの高齢者や入院患者等の排尿処理を容易にするために尿吸収器具が用いられており、上記尿吸収器具の一つとして男性用尿吸収器具がある。
【０００３】
上記男性用尿吸収器具は、男性装着者の男性外性器に対する配慮がなされたものであって、様々な形状や形態のものが用いられており、例えば、男性外性器のペニス（陰茎）及び睾丸（陰嚢）を収容できるポケット部（凹部）が形成されたおむつ（特許文献１参照）や、防水性軟質フィルムで形成された袋内に高吸水性粉末を収容すると共に、上記袋内に男性外性器のペニスを挿入するための透口が設けられた排尿処理用品（特許文献２参照）等が用いられている。
【０００４】
さらに、男性外性器のペニスを挿入する筒状体を備えると共に、上記筒状体内に排泄された尿を外部に導く排尿管を備えた排尿器（特許文献３及び特許文献４参照）のように、排泄された尿を吸収部材等に吸収させるのではなく、外部の排尿容器へと排出するものも用いられている。
【０００５】
【特許文献１】
特開２００２−５２０４１
【特許文献２】
実開平３−４１４２３
【特許文献３】
特開平８−１５０１６６（請求項１，請求項２、図１，図２，図３，図４）
【特許文献４】
特開平８−２７５９６４
【０００６】
【発明が解決しようとする課題】
上記従来の技術によると、身体が不自由な高齢者や入院患者、寝たきりの高齢者や入院患者等の排尿処理を容易に行うことができるものの、以下に示すような不具合が生じているものであった。
【０００７】
例えば、男性外性器のペニス及び睾丸を収容できるポケット部が形成されたおむつの場合には、ポケット部から男性外性器がズレ易く、着用者が不快感を感じたり、漏れが生じてしまう等の不具合が生じているものであり、しかも、排尿の度におむつを交換しなければならないため、介護者や看護者の負担が大きくなってしまうという不具合も生じているものであった。
【０００８】
また、袋内に高吸水性粉末を収容すると共に、男性外性器のペニスを挿入するための透口が設けられた排尿処理用品や、男性外性器のペニスを挿入する筒状体を備えると共に、筒状体内に排泄された尿を外部に導く排尿管を備えた排尿器の場合には、排尿処理用品や排尿器を装着する（排尿処理用品や排尿器にペニスを挿入する）際において、高齢者や入院患者のペニスに介護者や看護者が触れる必要があり、そのため、高齢者や入院患者が不快感を感じることは勿論のこと、介護者や看護者も不快感を感じることとなり、さらに、萎縮した状態の柔らかなペニスを挿入状態に留めることは非常に困難であるため、排尿処理用品や排尿器からペニスが外れ易く、その結果、排尿処理用品や排尿器が役立たないという不具合が生じているものであった。
【０００９】
よって、本発明は、上述した不具合を解決するものであって、ズレや外れを防止できると共に、装着の際の不快感を軽減でき、快適な使用を実現することができる男性用尿吸収器具の提供を目的とする。
【００１０】
【課題を解決する為の手段】
上記目的を達成する為に本発明は次の技術的手段を有する。
即ち、男性外性器を収容すると共に、排泄された尿を吸収保持する男性用尿吸収器具であって、上記男性用尿吸収器具は、非透水性フィルム１３と透水性フィルム１４との間に吸収体１２が配設された吸収部材１１を用いて形成される袋状体１と、上記袋状体１の開口部６に形成される収容口部２より成り、上記収容口部２は、上記袋状体１の開口部６に配設されるゴム４と、上記ゴム４を覆うゴム部分保護部材５によって構成されていると共に、男性外性器の根元部分２３を保持することができる通常の状態の開口径Ｌと、男性外性器のペニス２１と睾丸２２の双方を袋状体１内に受け入れることができる開放した状態の開口径Ｍとの間で伸縮自在に構成されていることを特徴とする男性用尿吸収器具である。
【００１１】
さらに、上記袋状体１は、平板状の吸収部材１１を二つ折りにすると共に、両側部を互いにシールして袋状に成されたものであり、しかも、上記袋状に成された吸収部材１１の内側と外側を反転させることによって、袋状に成された吸収部材１１の両側部のシール部３が、袋状体１の内側に位置するように成されていることを特徴としている。
【００１２】
本発明は、上記技術的手段より成り、上記収容口部２を開放した状態で男性外性器のペニス２１と睾丸２２の双方を上記袋状体１内に受け入れて収容した後、上記収容口部２を通常の状態に戻すことによって、男性外性器の根元部分２３を上記収容口部２にて保持する、即ち、男性用尿吸収器具の装着が行われるものであり、これにより、男性用尿吸収器具を装着する際に、高齢者や入院患者の男性外性器のペニス２１や睾丸２２に介護者や看護者が触れる必要がなくなるので、高齢者や入院患者及び介護者や看護者の不快感を軽減することができ、加えて、装着時のズレや外れが確実に防止されるので、男性用尿吸収器具を快適に使用することができる。
【００１３】
さらに、上記袋状体１を平板状の吸収部材１１を二つ折りとして両側部をシールすることによって袋状にすると共に、袋状に成された吸収部材１１を反転させることによって、袋状に成された吸収部材１１の両側部のシール部３を袋状体１の内側に位置させることにより、男性用尿吸収器具を低コストで製造することができると共に、袋状体１のシール部３（特にシール部３の端部）が装着者の股部等と擦れ合うことが防止されることとなるので、肌荒れやかぶれ等が防止され、より快適に使用することができる。
【００１４】
【発明の実施の形態】
以下、本発明の実施の形態を添付図面に基づき詳細に説明する。
図１に示したように、本発明の男性用尿吸収器具は、吸収部材１１よりなる袋状体１と、上記袋状体１の開口部６に形成される収容口部２より成り、上記収容口部２から男性外性器のペニス（陰茎）２１と睾丸（陰嚢）２２の双方を袋状体１の内部に収容すると共に、排泄された尿を吸収保持するものである。
【００１５】
そして、上記収容口部２は、上記袋状体１の開口部６に配設されるゴム４と、上記ゴム４を覆うゴム部分保護部材５より成り、図１に示したゴム４が縮んでいる通常の状態と、図２に示したゴム４を伸ばして開放した状態との間で収容口部２の開口径を伸縮させることができるように構成され、上記収容口部２の開口径は、常態（通常の状態）において、男性外性器の根元部分２３の径よりも若干小さく、男性外性器の根元部分２３を保持することができる程度の開口径Ｌに設定されていると共に、開放した状態において、男性外性器のペニス２１と睾丸２２を一緒に袋状体１内に導くことができる程度の開口径Ｍに設定されている。
【００１６】
そして、上記ゴム部分保護部材５としては、カット綿やロール綿等の綿部材、あるいは、リント布等の繊維部材といった肌への刺激が少ないものが好ましく、これらの素材を用いることによって、男性外性器の根元部分２３や股部に肌荒れやかぶれ等が生じることが防止され、快適な使い心地が得られるものであり、また、上記ゴム４及びゴム部分保護部材５の開口部６への取り付けは、縫着等によって行われる。
【００１７】
そして、上記袋状体１は、図３に示したように、平板状の吸収部材１１を中央の折り返し部７にて折り返して二つ折りにすると共に、両側部を互いにシールして図５に示したような袋状に成されるものであり、さらに、上記袋状に成された吸収部材１１の内側と外側を図６に示したように反転させることにより、上記袋状に成された吸収部材１１の両側部のシール部３が、袋状体１の内側に位置するように構成されている。
【００１８】
そして、上記袋状体１を構成する平板状の吸収部材１１は、図４に示したように、非透水性素材より成る非透水性フィルム１３と、透水性素材より成る透水性フィルム１４との間に吸収体１２を配設して成るものであり、上記吸収体１２によって、排泄された尿を吸収保持するための吸収・収容空間を非透水性フィルム１３と透水性フィルム１４との間に形成しているものであり、排泄された尿を確実に吸収し、吸収体１２内に閉じ込めるものである。
【００１９】
また、上記平板状の吸収部材１１を用いてシール部３が内側に位置する袋状体１を形成する際において、上記平板状の吸収部材１１を中央の折り返し部７にて折り返して二つ折りにする際に、非透水性フィルム１３が内側、透水性フィルムが外側となるようにして折り返して袋状とし、次いで、上記袋状にされた吸収部材１１の内側と外側を反転させることにより、外側に非透水性フィルム１３、内側に透水性フィルム１４を位置させている。
【００２０】
尚、上記非透水性フィルム１３を成す非透水性素材としては、透湿性を備えたＰＥフィルムが好ましく、尿の漏れを防止すると共に、蒸れを防止することができ、上記透水性フィルム１４を成す透水性素材としては、不織布等が考慮され、さらに、吸収体１２としても様々な素材・材料が考慮されるものであるが、これらは従来から広く一般に用いられているものであるので、その詳細については省略する。
【００２１】
次に、本発明の男性用尿吸収器具の使用例を説明する。
先ず、図２の矢印Ｅに示したように、男性用尿吸収器具の収容口部２を広げ、開放した状態として男性外性器のペニス２１と睾丸２２を袋状体１内に受け入れられる状態とし、上記袋状体１で男性外性器のペニス２１と睾丸２２を受け止めるようにして収容する。
【００２２】
このとき、上記袋状体１の収容口部２の開口径は、男性外性器のペニス２１と睾丸２２を一緒に袋状体１内に導くことができる開放した状態の開口径Ｍであって、しかも、男性外性器のペニス２１と睾丸２２を上記袋状体１で受け止めるようにするだけで男性外性器のペニス２１と睾丸２２を上記袋状体１内に収容できるので、高齢者や入院患者のペニス２１や睾丸２２に介護者や看護者が触れる必要がなくなり、従って、男性用尿吸収器具を装着する際に、高齢者や入院患者及び介護者や看護者が不快感を感じることがなくなるものである。
【００２３】
次いで、男性外性器のペニス２１と睾丸２２を袋状体１内に受け入れることによって、図８に示したように、男性外性器のペニス２１と睾丸２２が袋状体１内に収容されるものであり、男性外性器のペニス２１と睾丸２２を袋状体１内に収容した後に、男性用尿吸収器具の収容口部２を広げることを止め、男性用尿吸収器具の収容口部２を常態（通常の状態）へと復元させることにより、男性外性器の根元部分２３に男性用尿吸収器具の収容口部２が過不足なく密着し、男性外性器の根元部分２３を保持するものであり、これにより、男性用尿吸収器具の装着が完了する。
【００２４】
このとき、上記収容口部２の常態（通常の状態）における開口径が、男性外性器の根元部分２３の径よりも若干小さい開口径Ｌに設定されているのに加えて、上記収容口部２を構成するゴム部分保護部材５が、カット綿やロール綿、リント布等といった肌への刺激が少ない素材で構成されていることにより、良好なフィット感が得られると同時に、男性外性器の根元部分２３や股部に肌荒れやかぶれ等が生じることが防止され、快適な使い心地が得られるものである。
【００２５】
さらに、本発明の男性用尿吸収器具を装着した状態において、高齢者や入院患者の運動や寝返り等によって、男性用尿吸収器具が男性外性器から抜ける方向に力Ｆが加わった場合（図９参照）には、男性用尿吸収器具の収容口部２が、男性外性器の根元部分２３から男性外性器のペニス２１と睾丸２２の双方を越えようとするものであるが、常態（通常の状態）において男性外性器の根元部分２３よりも若干小さい開口径Ｌを有している収容口部２が、双方を合わせると男性外性器の根元部分２３よりも大きな径となる男性外性器のペニス２１と睾丸２２を越えることはなく、従って、高齢者や入院患者の運動や寝返り等によって本発明の男性用尿吸収器具が男性外性器から抜けたり外れたりすることはなく、排泄された尿を袋状体１内にて確実に吸収保持することができる。
【００２６】
また、男性外性器のペニス２１が萎縮して柔らかな状態であっても、男性外性器のペニス２１と睾丸２２の双方を合わせると、やはり、男性外性器の根元部分２３よりも大きな径となるので、この場合においても、本発明の男性用尿吸収器具が男性外性器から抜けたり外れたりすることはない。
【００２７】
また、上記袋状体１のシール部３が、袋状体１の内側に位置しているので、シール部３の端部が人体と擦れ合うことが防止され、シール部３による肌荒れやかぶれ等が防止され、より一層快適に使用できるものである。
【００２８】
さらに、図示はしていないが、本発明の男性用尿吸収器具の装着時において、おむつやホルダー等を用いることも考慮され、この場合には、男性用尿吸収器具を股部に対して確実に保持することができるので、男性用尿吸収器具が運動や寝返り等の妨げとなることを防止できる。
【００２９】
【発明の効果】
以上詳述した如く、本発明によると次の様な効果を奏する。
即ち、本発明の男性用尿吸収器は、収容口部を開放した状態で男性外性器のペニスと睾丸の双方を袋状体内に受け入れて収容した後、収容口部を通常の状態に戻すことによって、男性外性器の根元部分を上記収容口部にて保持するものであるので、装着の際における高齢者や入院患者及び介護者や看護者の不快感を軽減できると共に、装着時のズレや外れを防止でき、快適な使用が実現される男性用尿吸収器具を提供することができる。
【００３０】
さらに、袋状体の内側にシール部を位置させることによって、シール部の端部が人体と擦れ合うことが防止されることとなるので、肌荒れやかぶれ等が防止され、より快適な使用が実現されるものである。
【図面の簡単な説明】
【図１】本発明の男性用尿吸収器具を示す正面図である。
【図２】本発明の男性用尿吸収器具の収容口部を広げた状態を示す正面図である。
【図３】本発明の男性用尿吸収器具の袋状部材を構成する平板状の吸収部材を示す図である。
【図４】図３におけるＸ−Ｘ’に沿う断面図である。
【図５】平板状の吸収部材を折り曲げて両側部をシールした状態を示す図である。
【図６】袋状に成された吸収部材を反転させる状態を示す図である。
【図７】袋状に成された吸収部材を反転させて得られた袋状体を示す図である。
【図８】本発明の男性用尿吸収器具を装着した状態を示す斜視図である。
【図９】本発明の男性用尿吸収器具を装着した状態を示す側面図である。
【符号の説明】
１  袋状体
２  収容口部
３  シール部
４  ゴム
５  ゴム部分保護部材
６  開口部
７  折り返し部
１１  吸収部材
１２  吸収体
１３  非透水性フィルム
１４  透水性フィルム
２１  ペニス（陰茎）
２２  睾丸（陰嚢）
２３  根元部分
Ｌ  通常の状態における収容口部の開口径
Ｍ  開放した状態における収容口部の開口径
【図１】
2004159724.tif 000003
【図２】
2004159724.tif 000004
【図３】
2004159724.tif 000005
【図４】
2004159724.tif 000006
【図５】
2004159724.tif 000007
【図６】
2004159724.tif 000008
【図７】
2004159724.tif 000009
【図８】
2004159724.tif 000010
【図９】
2004159724.tif 000011